(57)【特許請求の範囲】
【請求項１】
キャビティを有するハウジングと、
先端側から挿入されることによって、前記キャビティ内に圧入固定される圧入部を有し、基端部でリードに圧着により固定された端子金具と、
前記ハウジングに上方から取り付けられ、前記キャビティの後方を覆い、前記端子金具の後端側ととともに前記リードを収容するカバーと、
を有し、
前記端子金具は、前記圧入部と、前記基端部との間に配設され、前記キャビティの挿入方向側の開口縁部に係止されて挿入方向への移動が規制されるとともに、前記開口縁部に近接して設けられ、挿入方向と交差する方向に開口する切欠部を有する係止突部を備え、
前記カバーには、前記ハウジングに取り付けられた際に、前記切欠部に係止して、前記端子金具の抜脱方向への移動を規制する係止部が設けられていることを特徴とするコネクタ。
【請求項２】
前記キャビティは、先端側で他コネクタとの接続部が隣接する端子固定部内に、前記圧入部を固定する圧入固定部を含んで配設され、
前記カバーは、その先端部を前記端子固定部に対して後方で隣接するように、前記ハウジングに取り付けられ、
前記端子固定部において前記端子金具の延在方向周りの外面と、前記カバーにおいて前記端子金具の延在方向周りの外面とは略面一であることを特徴とする請求項１記載のコネクタ。
【請求項３】
前記ハウジングには嵌合部が設けられ、
前記カバーには、前記ハウジングに取り付けられた際に、前記嵌合部と上下方向で互いに嵌合する被嵌合部が設けられていることを特徴とする請求項１記載のコネクタ。
【請求項４】
前記端子金具が圧入された前記ハウジング及び前記ハウジングに取り付けられたカバーの少なくとも底面と側面とは、シールドケースにより被覆されていることを特徴とする請求項２記載のコネクタ。
【発明の詳細な説明】
【技術分野】
【０００１】
本発明は、圧着端子である金属端子を用いたコネクタに関する。
【背景技術】
【０００２】
従来、コネクタにおいて、ハウジングに端子金具を抜け止め状態で収容する際には、例えば、特許文献１に示すようにハウジング内にランスを設けたものが知られている。
【０００３】
特許文献１に示すような従来のコネクタでは、コネクタハウジング内に端子金具を挿入可能なキャビティを設け、このキャビティの底面又は上面に、端子金具を抜け止めするランスを、撓み変形可能に設ける。これにより、コネクタハウジングのキャビティ内に端子金具が後方から挿入されると、ランスが端子金具によって一旦、撓まされ、端子金具が正規深さに達すると、ランスが復元して端子金具の被係止部と係合して、金属金具の抜け止めを図っている。
【特許文献１】特開平４−９２３７９号公報
【発明の開示】
【発明が解決しようとする課題】
【０００４】
近年、コネクタの小型化が望まれているが、上述した従来のコネクタにおいて小型化、特に低背化を図る場合、ランスの厚みを小さくし、ランスが被係止部と係合する際に必要な上下方向に撓むための空間を小さくすることが考えられる。
【０００５】
しかし、ランスの厚みを小さくするとランスが撓みやすくなり、端子金具との係合状態が弱くなり、端子金具が抜けやすくなるという問題がある。また、ランスの撓み変化量が少なくなる点も端子金具との係合力が弱くなるという問題がある。さらに、ランスにより端子金具をハウジングに固定するコネクタ構造の場合、端子金具のキャビティへの挿入は、一般的に金具装着装置によって行われ、その挿入に際し、端子金具の取付位置に多少のずれ（ガタ）が生じることが知られている。このずれによるハウジングにおける端子金具の接点位置のずれは、接点範囲が広いコネクタであれば問題は生じないが、一層小型化が図られたコネクタでは、相対的に接点範囲が狭くなる。よって、ランスを用いた構造では、コネクタ自体の小型化は困難である。
【０００６】
本発明はかかる点に鑑みてなされたものであり、他コネクタ端子に接続される端子金具を確実に保持しつつ小型化を容易に図ることができるコネクタを提供することを目的とする。
【課題を解決するための手段】
【０００７】
本発明のコネクタは、キャビティを有するハウジングと、先端側から挿入されることによって、前記キャビティ内に圧入固定される圧入部を有し、基端部でリードに圧着により固定された端子金具と、前記ハウジングに上方から取り付けられ、前記キャビティの後方を覆い、前記端子金具の後端側ととともに前記リードを収容するカバーと、を有し、前記端子金具は、前記圧入部と、前記基端部との間に配設され、前記キャビティの挿入方向側の開口縁部に係止されて挿入方向への移動が規制されるとともに、前記開口縁部に近接して設けられ、挿入方向と交差する方向に開口する切欠部を有する係止突部を備え、前記カバーには、前記ハウジングに取り付けられた際に、前記切欠部に係止して、前記端子金具の抜脱方向への移動を規制する係止部が設けられている構成を採る。
【発明の効果】
【０００８】
本発明によれば、他コネクタ端子に接続される端子金具を確実に保持しつつ小型化を容易に図ることができる。
【発明を実施するための最良の形態】
【０００９】
以下、本発明の実施の形態について、図面を参照して詳細に説明する。
【００１０】
図１は、本発明の一実施の形態に係るコネクタの構成を示す分解斜視図である。図２は本発明の一実施の形態に係るコネクタの要部構成を示す斜視図である。また、図３は、本発明の一実施の形態に係るコネクタにおいて、ハウジングに配設された圧着コンタクトとカバーとの関係を示す要部斜視図である。
【００１１】
図１に示すようにコネクタ１００は、先端に圧着コンタクト１１０が取り付けられたリード１３０と、圧着コンタクト（端子金具）１１０をキャビティ１５０に収容したハウジング１４０と、ハウジング１４０に取り付けられたリード１３０を上方から覆うカバー１６０と、カバー１６０が取り付けられたハウジング１４０を被複するシールドケース１８０と、ハウジング１４０及びカバー１６０を覆うシールドケース１８０を被覆する樹脂製の被覆材１９０とを有する。なお、本実施の形態のコネクタ１００は、２本のリード１３０を備えたコネクタ（例えば、電源ケーブルコネクタ）としており、本線１３２から分岐する２本のリード１３０を並行に配設するための配線路を有している。各図では、便宜上、一本のリード１３０の配線に関してのみ記載し、他のリードの配線に関する構成は同様であるため省略して説明する。
【００１２】
コネクタ１００では、リード１３０の端部の圧着コンタクト１１０が圧入により固定されるハウジング１４０は、上方に開口する後側部分にカバー１６０の前側部分を嵌合させることで矩形平板状のコネクタ本体を形成し、このコネクタ本体がシールドケース１８０で覆われ、さらに被覆材１９０で覆われてなる。
【００１３】
このコネクタ１００のコネクタ本体では、圧着コンタクト１１０がハウジング１４０の先端側の端子固定部１４２内に後方から圧入され、後側部分にカバー１６０が被さることにより、圧着コンタクト１１０とリード１３０との接続部分が被覆される。
【００１４】
なお、被覆材１９０は、圧着コンタクト１１０が配置されたコネクタ本体を収容したシールドケース１８０に対して、後側から樹脂を流して固化することで一体成形されたものである。なお、図１における被覆材１９０は、便宜上、成形後の状態をコネクタ本体から外して図示している。
【００１５】
また、図３に示すように、カバー１６０がハウジング１４０に取り付けられた際に、カバー１６０の係止ブロック部が、圧着コンタクト１１０の引き抜き方向への移動を抑制している。
【００１６】
ここで、本実施の形態のコネクタ１００における各構成要素について詳細に説明する。
【００１７】
図４〜図６は、本発明の一実施の形態に係るコネクタのハウジングの説明に供する図であり、図４は前方から見たハウジング１４０の斜視図、図５は、後方からハウジング１４０の斜視図である。また、図６（ａ）は、ハウジング１４０の正面図、図６（ｂ）は、図６（ａ）のＡ−Ａ線矢視断面図、図６（ｃ）は図６（ａ）のＢ−Ｂ線矢視断面図である。
【００１８】
図１、図３、図４及び図５に示すように、ハウジング１４０は、合成樹脂材によりなり、前後方向に延びる長尺矩形板状の底板部１４１上に、長手方向に沿って配置されるリード１３０の先端部の圧着コンタクト１１０が挿入されるキャビティ１５０を有する端子固定部１４２が設けられている。
【００１９】
この端子固定部１４２の前側には、上方に開口する先端凹部１４３が設けられ、先端凹部１４３の底面には長手方向に沿い、後側でキャビティ１５０に連続する溝部１４３ａが形成され、溝部１４３ａ内には端子固定部１４２に挿入された圧着コンタクト１１０の先端が露出した状態で配置される。
【００２０】
端子固定部１４２の上面には、上方に突出し、先端凹部１４３がシールドケース１８０の先端筒部１８０ａに挿入された際に、先端筒部１８０ａの上面となる上板部１８１の後辺部に当接するストッパ突部１４４が設けられている。また、このストッパ突部１４４には、前後方向に連通する連通スリット１４４ａが形成されている。
【００２１】
キャビティ１５０は、ここでは、端子固定部１４２に２箇所、長手方向に沿って、当該長手方向に連通して形成され、後側から挿入される圧着コンタクト１１０を収容して固定する。
【００２２】
キャビティ１５０は、図６に示すように、端子固定部１４２内に、端子固定部１４２の後面に開口し、挿入される圧着コンタクト１１０の係止突起部１１２が嵌入される被嵌入部１５２と、被嵌入部１５２に連通し、且つ、被嵌入部１５２より高さが低い圧入固定部１５４とを備える。
【００２３】
キャビティ１５０では、後方から挿入された圧着コンタクト１１０は、被嵌入部１５２に係止突起部１１２を嵌入した状態で、圧入固定部１５４にて、圧着コンタクト１１０の圧入部１１４が固定される。
【００２４】
ハウジング１４０では、底板部１４１の後端側の両側部には、上方に立ち上がる側壁部１４５が設けられ、これら側壁部１４５は、カバー１６０の凹部１６２と嵌合する。
【００２５】
また、ハウジング１４０の後側において、側壁部１４５間には、前後方向に延びる軸線上に、側壁部１４５と対向して配置された間仕切壁１４６が立設されている。この間仕切壁１４６は、ハウジング１４０に装着される圧着コンタクト１１０同士を仕切るものであり、ここでは、２本のリード１３０が、ハウジング１４０の前後方向（長手方向）に沿って配置されるため、底板部１４１の軸線上に位置するように形成されている。
【００２６】
図７〜図１０は、圧着コンタクト１１０を示す図であり、図７は、圧着コンタクト１１０の平面図、図８は、同側面、図９は図７のＣ−Ｃ線矢視断面図、図１０（ａ）は図７のＤ−Ｄ線矢視断面図、図１０（ｂ）は図７のＥ−Ｅ線矢視側断面図、図１０（ｃ）は図７のＦ−Ｆ線矢視側断面図、図１０（ｄ）は図７のＧ−Ｇ矢視側断面図である。
【００２７】
図７〜図１０に示す圧着コンタクト１１０は、導電性を有する銅などの金属板を打ち抜き折曲してなる細長い長尺板状をなす。圧着コンタクト１１０は、ハウジング１４０の被嵌入部１５２に嵌入される係止突起部１１２から先端側に突出して、先端部を構成する接点部１１６と、基部１１０ａに設けられ、リード１３０端部を導通した状態で固定するリード接続部１１８とを有する。
【００２８】
図７〜図９では、金属板のランナ１１から外される前の状態を示し、ここでは金属板のランナ１１に、コネクタ１００に装着される２つの圧着コンタクト１１０が接続されているものとする。図１〜図３に示す圧着コンタクト１１０は、図７〜図９の状態において、切断部１１ａで切断して、基部１１０ａをランナから切り離して用いられている。
【００２９】
圧着コンタクト１１０の基部１１０ａに設けられたリード接続部１１８は、図１０（ｃ）、図１０（ｄ）に示すように、リード本体圧着部１１９と、導体圧着部１２０とを有する。リード本体圧着部１１９及び導体圧着部１２０は、それぞれ、底板部分の両側部から上方に突出し、互いに対向する一対の圧着片１１９ａ、１２０ａを有する。なお、これら図７〜図１０に示す圧着コンタクト１１０は、リード１３０に圧着される前のものであるため、リードに圧着されるリード接続部１１８における一対の圧着片１１９ａ、１２０ａは立ち上がった状態となっている。
【００３０】
図１〜図３に示すように、リード本体圧着部１１９及び導体圧着部１２０では、図１〜図３に示すように、導体が外皮から導出されたリード１３０の端部が、基部１１０ａの底板部分（リード本体圧着部の底板部分及び導体圧着部の底板部分）上に載置されている。
【００３１】
これら底板部分上に載置されたリード１３０の端部に対して、リード１３０の側方に配置されるリード本体圧着片１１９ａ及び導体圧着片１２０ａは、内側（リード１３０の外皮（本体）及び導体側）に折曲されることで、リード本体及び導体を、リードの両側方からそれぞれ底板部分に押し付けて圧着している。
【００３２】
これにより圧着コンタクト１１０は、リード１３０の端部に、当該リードの導体と導通した状態で、リードの延在方向に沿って圧着されている。
【００３３】
なお、基部１１０ａでは、図９に示すように、導体圧着片１２０ａ間の底板部分１１０１は、圧着コンタクト１１０自体を形成する金属板を長手方向と直交する方向に折曲して、圧着コンタクト１１０全体の底面部分よりも高い位置に位置されている。つまり、導体圧着部１２０の底面（底板部分１１０１）は、リード本体圧着部１１９の底面１１０２よりも高い位置に配置され、上下方向に変形可能となっている。
【００３４】
これにより、互いに対向する導体圧着片１２０ａ間に配置された導体は、上方で折曲された導体圧着片１１９ａの先端部により下方に押圧された際に、下方の底板部分１１０１が変形することで上下から互いに押圧された状態で挟持される。
【００３５】
この基部１１０ａの前側には、平板状の基部１１０ａに連続する底板部分を底面部とし、圧着コンタクト１１０の長手方向に延在する角筒形状の係止突起部１１２が配設されている（図１０（ａ）、図１０（ｂ）参照）。
【００３６】
係止突起部１１２は、中央部分の両側部に、側方及び上下方向に開口する切欠部１１２１が形成されている。
【００３７】
この切欠部１１２１には、図３に示すように、カバー１６０の係止ブロック１７０が嵌合する。
【００３８】
また、係止突起部１１２の先端部は、ハウジング１４０の被嵌入部１５２に嵌入される嵌入部１１２２を構成している。
【００３９】
圧着コンタクト１１０において、係止突起部１１２の前側には、底板部分から導出してなり、両側辺部からそれぞれ左右側方に突出する係止片を有する圧入部１１４が形成されている。圧入部１１４は、後方からハウジング１４０の圧入固定部１５４に挿入されて、当該圧入固定部１５４の両側壁部にそれぞれ掛止することにより、当該圧着コンタクト１１０の前後方向（主に後方）への移動を規制する。すなわち、圧入部１１４は、圧入固定部１５４に内嵌されることで固定され、圧着コンタクト１１０自体をキャビティ１５０に固定する。
【００４０】
このように圧入固定部１５４に内嵌された圧入部１１４の先端には、図３に示すように、ハウジング１４０の先端凹部１４３内の溝部１４３ａ内に挿入された、長尺板状の接点部１１６が先端側に向かって延設されている。
【００４１】
この接点部１１６は、ハウジング１４０の先端凹部１４３における底面の溝部１４３ａ内に挿入されることで、底面側で表面が露出する。この表面で、コネクタの先端側から挿入される他コネクタの接続端子と接続する。
【００４２】
この接点部１１６は、図９に示すように、先端側が下方に傾斜しており、先端凹部１４３の底面の溝部１４３ａ内に、先端凹部１４３の底面から浮くことなく配設される。これにより、先端側から侵入すする相手コネクタの端子に干渉することがない。
【００４３】
このように、ハウジング１４０には、圧着コンタクト１１０が圧入により固定され、ハウジング１４０の後側に配置される圧着コンタクト１１０の後側部分（切欠部から後方側の部分）は、ハウジング１４０の後端部分を覆うカバー１６０により覆われている。
【００４４】
カバー１６０は、前側部分で、ハウジング１４０の後側部分を上方から覆うとともに、後側部分がハウジング１４０後端に、延在方向に沿って接続されることにより、ハウジング１４０から後方に導出されるリード１３０を上方から覆う。
【００４５】
図１１及び図１２は、カバー１６０を示す図であり、図１１はカバー１６０の裏側を先端側から見た図、図１２は、カバー１６０の裏側を基端側から見た図である。
【００４６】
カバー１６０は、ハウジング１４０の後側部分（固定端子部１４２の後側部分）と嵌合して矩形帯状のコネクタ本体を構成する。
【００４７】
カバー１６０は、図１１及び図１２に示すように、平面視して前後方向に長い矩形状の上面部１６３の両側部から下方に垂下された両側壁部１６４を備えている。
【００４８】
これら上面部１６３の上面及び両側壁部１６４の外面は、ハウジング１４０に取り付けられた際に、ハウジング１４０の上面（詳細には端子固定部１４２の上面）及び先端凹部１４３、端子固定部１４２及び側壁部１４５の外面と面一になるように形成されている。
【００４９】
つまり、カバー１６０の高さ及び幅はハウジングの高さ及び幅に対応している。
【００５０】
カバー１６０の前側には、上面部１６３の先端部分から下方に突出して設けられ、ハウジング１４０の後側部分に形成された凹状部分（端子固定部１４２の後端辺と側壁部１４５の前側辺との間で形成された部分）に嵌合する嵌合凸部１６０ａが設けられている。
【００５１】
また、カバー１６０の前側には、嵌合凸部１６０ａに後側で隣接して、ハウジング１４０の側壁部１４５が内嵌する凹部１６２が形成されている。
【００５２】
具体的には、嵌合凸部１６０ａの突端面は、両側壁部１６４の後側部分の端面よりも、ハウジング１４０の底板部の厚み分、高い位置に配置されている。また、上面部１６３の先端側には、軸心に沿って下方に突出する中央壁部１６５が形成され、この中央壁部１６５の両側部と、当該両側部と対向する両側壁部１６４の内面とには、ハウジング１４０に載置された圧着コンタクト１１０の切欠部に嵌合する係止ブロック１７２、１７４（１７０）が設けられている。
【００５３】
係止ブロック１７０は、図３に示すように、カバー１６０がハウジング１４０に取り付けられた際に、圧着コンタクト１１０の切欠部１１２１に嵌合して、圧入によって端子固定部１４２のキャビティ１５０内に配設された圧着コンタクト１１０の後方への移動を規制する。
【００５４】
また、カバー１６０の先端面では、係止ブロック１７２、１７４の前側から前方に突出し、前方向でカバー１６０の内外を連通させる壁片部１６６が形成されており、この壁片部１６６間に、切欠部１１２１の先端側辺部、つまり、嵌入部１１２２の後端部を配置可能とする。
【００５５】
なお、カバー１６０の上面部１６３には、後側部分に、軸心に沿ってスリット１６７が形成され、ハウジング１４０に取り付けられた際に、ハウジング１４０の間仕切壁１４６の上端部が嵌る。また、カバー１６０の上面部１６３には、表裏面に連通する上面開口１６８が形成されている。この上面開口１６８は、カバー１６０がシールドケース１８０内に配設された際に、挿通して折曲されたシールドケースの突片１８７と係合する。
【００５６】
図１３及び図１４は、シールドケース１８０を示す図であり、図１３は、シールドケース１８０の裏面側を示す斜視図、図１４はシールドケース１８０の表面側を示す図である。
【００５７】
図１３及び図１４に示すようにシールドケース１８０は、コネクタ本体の底面、両側面及び先端部の上面を被覆するものであり、ここでは、金属板を打ち抜いて折曲等の加工を施すことによって形成されている。このシールドケース１８０は変形可能な可塑性を有する材料から形成されている。
【００５８】
具体的には、シールドケース１８０の上板部１８１が、ハウジング１４０における先端部の先端凹部１４３を上方から覆うように形成されているため、当該先端凹部１４３は、シールドケース１８０の先端筒部１８０ａによって周囲を囲まれている。
【００５９】
また、シールドケース１８０の上板部１８１の後端には、後方に突出する突出板部１８２が形成され、この突出板部１８２は、シールドケース１８０の先端部内に挿入されたストッパ突部１４４の連通スリット１４４ａに挿入されシールドケース１８０に対するハウジング１４０の挿入方向への移動を規制している。図２では、連通スリット１４４ａに突出板部１８２が挿入されて、シールドケース１８０にハウジング１４０を含むコネクタ本体が装着された状態を示している。
【００６０】
また、シールドケース１８０の底板部１８３には、内方に突出し、弾性変形自在な突出片１８４が設けられている。この突出片１８４は、シールドケース１８０内にコネクタ本体が配置された際に、カバー１６０の両側壁部間でハウジング１４０の後端に係止して、ハウジング１４０の後方への移動を規制する。
【００６１】
つまり図２では、シールドケース１８０内におけるハウジング１４０は、ストッパ突部１４４を、連通スリット１４４ａに突出板部１８２に挿入させて、上板部１８１の後端に当接させて、前方向への移動が規制され、突出片１８４（図１３及び図１４参照）によって、後方への移動が規制された状態となっている。
【００６２】
また、シールドケース１８０の両側壁部１８５には、互いに対向して、ケース内方に突出し、収容するハウジング１４０に嵌合されたカバー１６０の側面を押圧して固定する押圧片１８６が設けられている。さらに、シールドケース１８０の両側壁部１８５には、両側壁部の上端の一部から上方に突出し、折曲自在な突片１８７が設けられている。図１３及び図１４では、突片１８７は、折曲された状態で示している。
【００６３】
シールドケース１８０では、突片１８７を、収容するカバー１６０の上面開口１６８に挿入して、折曲することでシールドケース１８０に対するカバー１６０の前後方向に移動を規制し、カバー１６０を固定している（図１では突片１８７は立設した状態、図２では折曲された状態で示されている）。
【００６４】
次に、コネクタ１００の組立方法について説明する。
【００６５】
このように構成されたコネクタ１００では、シールドケース１８０内に配置されたハウジング１４０の端子固定部１４２に後方からリード先端の圧着コンタクト１１０の先端を挿入する。
【００６６】
図１に示すようにハウジング１４０において圧着コンタクト１１０の係止突起部１１２が、端子固定部１４２と、側壁部１４５との間（ハウジング１４０の凹部）に配置された際に、切欠部１１２１の前側辺部を端子固定部１４２側に押し込む。この場合、押し込み治具の先端を切欠部１１２１に挿入して引っ掛けて、端子固定部１４２の被嵌入部１５２に、係止突起部１１２の先端側の嵌入部１１２２を押しこむ。
【００６７】
すなわち、圧着コンタクト１１０は、接点部１１６を先端凹部１４３の溝内に配置させた状態で、圧入固定部１５４に圧入部１１４が圧入され、係止突起部１１２の先端側は被嵌入部１５２に嵌入される（図２参照）。
【００６８】
これにより、圧着コンタクト１１０はキャビティ１５０内に圧入された状態で固定される。なお、ここでは、シールドケース１８０の先端側に挿入しておいたハウジング１４０に対して圧着コンタクト１１０の圧入を行っているが、これに限らず、ハウジング１４０のキャビティ１５０に圧着コンタクト１１０を圧入した後で、シールドケース１８０に挿入するようにしてもよく、ハウジング１４０への圧着コンタクト１１０の圧入後、カバー１６０を被せた後でシールドケース１８０に収容させてもよい。
【００６９】
ハウジング１４０の端子固定部１４２に圧着コンタクト１１０が圧入された際の、圧着コンタクト１１０の切欠部１１２１は、側面視して、端子固定部１４２と側壁部１４５との間（ハウジング１４０の凹部）で端子固定部１４２に隣接した位置に配置される（図２の圧着コンタクト１１０が配置されたハウジング１４０参照）。
【００７０】
このように圧着コンタクト１１０が圧入されたハウジング１４０に対し、カバー１６０を上方から挿入して取り付ける（図２参照）。なお、このときカバー１６０は、上面開口１６８にシールドケース１８０において折曲される前の状態（図１に示す状態）の突片１８７を挿入しつつ、ハウジング１４０に取り付ける。
【００７１】
ハウジング１４０に取り付けられるカバー１６０では、嵌合凸部１６０ａがハウジング１４０の端子固定部１４２と側壁部との間（ハウジング１４０の凹部）に配置されるとともに、凹部１６２がハウジング１４０の側壁部１４５に内嵌し、スリット１６７にハウジング１４０の間仕切壁１４６が嵌合する。
【００７２】
また、カバー１６０では、図３に示すように、嵌合凸部１６０ａの係止ブロック１７０（１７２、１７４）が圧着コンタクト１１０の切欠部１１２１に嵌合する。
【００７３】
さらにカバー１６０は、シールドケース１８０の押圧片１８６によって、シールドケース１８０内に押圧された状態で固定される。
【００７４】
そして、カバー１６０の上面開口１６８に挿通されて上方に突出したシールドケース１８０の突片１８７をカバー１６０側に折曲させることで、上面開口１６８内に折曲された突片１８７を位置させて、カバー１６０自体をシールドケース１８０に固定する。
【００７５】
本実施の形態のコネクタ１００によれば、圧着によりリード１３０の端部に接続された圧着コンタクト１１０を、ハウジング１４０に後方から圧入し、カバー１６０を取り付けることで圧着コンタクト１１０の後方への移動を規制している。
【００７６】
よって、ランスを設けることなく、圧着コンタクト１１０を介してリードを接続することができ、小型化を容易に図ることができる。また、圧着コンタクト１１０には、係止突起部１１２に切欠部１１２１が形成されている。
【００７７】
このため、小型化されたハウジング１４０及び圧着コンタクト１１０であっても、先端の接点部１１６を端子固定部１４２のキャビティ１５０内に後方から挿入して、圧入固定部１５４に圧入部１１４を圧入する際に、端子固定部１４２と側壁部１４５との間の空間において、当該空間内に配置された切欠部１１２１に治具を引っ掛けて容易に圧入することができる。
【００７８】
なお、上記実施の形態のコネクタ１００において、カバー１６０を、当該カバー１６０の係止ブロック１７０を切欠部１１２１に嵌合させて、ハウジング１４０に対してスライド移動自在に形成してもよい。この構成によれば、カバー１６０をハウジング１４０の先端側に押圧することで、圧着コンタクト１１０をハウジング１４０に圧入できるとともに、カバー１６０をハウジング１４０に取り付けて、平板状のコネクタ本体を形成することができる。
【００７９】
なお、上記本発明は、本発明の精神を逸脱しない限り、種々の改変をなすことができ、そして本発明が該改変させたものに及ぶことは当然である。
【産業上の利用可能性】
【００８０】
本発明に係るコネクタは、他コネクタ端子に接続される端子金具を確実に保持しつつ小型化を容易に図ることができる効果を有し、電源ケーブルのコネクタとして有用である。
【図面の簡単な説明】
【００８１】
【図１】本発明の一実施の形態に係るコネクタの構成を示す分解斜視図
【図２】本発明の一実施の形態に係るコネクタの要部構成を示す斜視図
【図３】本発明の一実施の形態に係るコネクタにおいて、ハウジングに配設された圧着コンタクトとカバーとの関係を示す要部斜視図
【図４】本発明の一実施の形態に係るコネクタのハウジングを前方から見た図
【図５】本発明の一実施の形態に係るコネクタのハウジングを後方から見た図
【図６】本発明の一実施の形態に係るコネクタのハウジングの説明に供する図
【図７】本発明の一実施の形態に係るコネクタの圧着コンタクトを示す図
【図８】本発明の一実施の形態に係るコネクタの圧着コンタクトを示す図
【図９】本発明の一実施の形態に係るコネクタの圧着コンタクトを示す図
【図１０】本発明の一実施の形態に係るコネクタの圧着コンタクトを示す図
【図１１】本発明の一実施の形態に係るコネクタのカバーを示す図
【図１２】本発明の一実施の形態に係るコネクタのカバーを示す図
【図１３】本発明の一実施の形態に係るコネクタのシールドケースを示す図
【図１４】本発明の一実施の形態に係るコネクタのシールドケースを示す図
【符号の説明】
【００８２】
１００  コネクタ
１１０  圧着コンタクト
１１０ａ  基部
１１２  係止突起部
１１４  圧入部
１１６  接点部
１１８  リード接続部
１３０  リード
１４０  ハウジング
１４１  底板部
１４２  端子固定部
１５０  キャビティ
１５４  圧入固定部
１６０  カバー
１６２  凹部
１６３  上面部
１６４  両側壁部
１６５  中央壁部
１７０  係止ブロック
１８０  シールドケース
１８１  上板部
１８３  底板部
１８５  両側壁部
１１２１  切欠部
１１２２  嵌入部
【図１】
0005034791.tif 000002
【図２】
0005034791.tif 000003
【図３】
0005034791.tif 000004
【図４】
0005034791.tif 000005
【図５】
0005034791.tif 000006
【図６】
0005034791.tif 000007
【図７】
0005034791.tif 000008
【図８】
0005034791.tif 000009
【図９】
0005034791.tif 000010
【図１０】
0005034791.tif 000011
【図１１】
0005034791.tif 000012
【図１２】
0005034791.tif 000013
【図１３】
0005034791.tif 000014
【図１４】
0005034791.tif 000015